(57)【要約】【課題】かご状容器の回転角度を変えずに、重機側と重機前方側の両方へ掬い部材を用いて瓦礫を掬うことができるふるい装置を提供する。【解決手段】周壁にふるい用網目を設け、前端を開放口としたかご状容器の開放口の上下両縁辺に、前方へ突出する掬い部材を設ける。かご状容器の後部とステイ部材を結合するローテータは、複数の凹状円弧面を連設した外筒部材と、球体を支持させた複数のピストン部材を円盤の半径方向に放射状に配置した内側部材を有し、円弧面とピストン球体が対向するようにして外筒部材と内側部材を回転可能に内外嵌装してなり、ピストン球体が相対する円弧面の一側傾斜面に対向したときにピストン部材に油圧を間欠的に供給するディストリビュータを備えている。【選択図】　　図１
2004008972.tif 000002
【特許請求の範囲】
【請求項１】
周壁にふるい用網目を設け、前端を開放口としたかご状容器の後部と、重機のアームとリンクを連結して回動操作するステイ部材とを回転可能に結合したふるい装置において、かご状容器開放口のステイ長手方向に対応する上下両縁辺に、前方へ突出する掬い部材を設けたことを特徴とする重機用ふるい装置
【請求項２】
かご状容器が断面四角形に形成され、前記掬い部材を、かご状容器開放口の上下両縁辺から前方内側へ向けて所定角度で突出させたことを特徴とする請求項１記載の重機用ふるい装置
【請求項３】
かご状ふるい容器の後部とステイ部材を回転駆動手段を有するローテータを介して結合してなり、該ローテータは、円形内周側面に複数の凹状円弧面を連設した外筒部材と、先端に球体を支持させた複数のピストン部材を円盤の半径方向に放射状に配置した内側部材を、円弧面とピストン球体が対向するようにして回転可能に内外嵌装したローテータ本体と、ピストン球体が相対する円弧面の一側傾斜面に対向したときにピストン部材に油圧を間欠的に供給するディストリビュータからなることを特徴とする請求項１又は記載の重機用ふるい装置
【発明の詳細な説明】
【００１】
【発明の属する技術分野】
本発明はバックホー等の重機のアームに連結して、瓦礫や土砂を分別するふるい装置に関する。
【００２】
【発明が解決しようとする課題】
土工作業や解体作業の現場では、バックホーなどの重機のアームやリンクにかご状容器を有するふるい装置を取付け、このふるい装置のかご状容器で土砂、瓦礫等をふるい分けている。
【００３】
この種のふるい装置は重機のアームとリンクを連結するステイ部材とかご状容器の後部を回転駆動機構を介して揺動可能に結合するとともに、アームとリンクでふるい装置を重機側へ向けて縦方向に回動させて分別対象物をかご状容器に取り込み、この容器を正逆回転することにより、かご状容器の網目を通して分別するようになっている。
【００４】
ふるい装置にはかご状容器への取り込みを容易にするために、容器前端の開放口の下端縁辺に掬い部材を設け、かご状容器を手前に掬い上げることによって対象物を取り込んでいるが、解体現場内の重機の作業位置によってはかご状容器を前方へ掬い上げて取り込む必要がある場合もある。
この場合、かご状容器の揺動回転角度は一定の角度に限られているので、前方の瓦礫を掬い上げようとすると掬い部材の位置が開放口の上端縁辺に転換し、掬い部材として機能しなくなる。かご状容器を１８０°回転できるようにしたとしても、１ヵ所の掬い部材では１８０°回転させて掬い部材を接地位置に合わせなければならないため、そのための作業と時間がかかり、作業能率が低下する。
【００５】
従って、本発明の第１の目的は、重機側へ掬うときも重機前方へ掬うときも、かご状容器の回転角度を変えずに掬い部材で瓦礫を掬うことができるふるい装置を提供することにある。
【００６】
本発明の第２の目的は、かご状容器を、連続回転を含む自由な回転角度で操作することができる上記ふるい装置を提供することにある。
【００７】
【課題を解決するための手段】
上記第１の目的を達成するために、本発明のふるい装置は、周壁にふるい用網目を設け、前端を開放口としたかご状容器の後部と、重機のアームとリンクを連結して回動操作するステイ部材とを回転可能に結合したふるい装置において、かご状容器開放口のステイ長手方向に対応する上下両縁辺に、前方へ突出する掬い部材を設けたことを特徴とする。
【００８】
好ましくは、ふるい装置のかご状容器を断面四角形の筒体に形成し、ローテータの連続回転でかご状容器内の内容物をせり揚げて落下させるようにしてもよい。また、前記掬い部材はかご状容器開放口の上下両縁辺から前方内側へ向けて所定角度で突出させるのが望ましい。
【００９】
上記第２の目的を達成するために、本発明のふるい装置は、さらに、かご状ふるい容器の後部とステイ部材を回転駆動手段を有するローテータを介して結合してなり、該ローテータは、円形内周側面に複数の凹状円弧面を連設した外筒部材と、先端に球体を支持させた複数のピストン部材を円盤の半径方向に放射状に配置した内側部材を、円弧面とピストン球体が対向するようにして回転可能に内外嵌装したローテータ本体と、ピストン球体が相対する円弧面の一側傾斜面に対向したときにピストン部材に油圧を間欠的に供給するディストリビュータからなることを特徴とする。
【０１０】
【発明の実施の形態】
以下、本発明の実施例を添付図面に基づいて説明する。
図の実施例のふるい装置１は、周壁を底壁２と、好ましくは断面四角形の側壁３で構成し、前端を開放口４としたかご状容器５を備え、このかご状容器５は周壁（底壁２及び側壁３）の一部又は全部がふるい用の網目（格子）６で形成されている。
【０１１】
かご状容器５の後部は、バックホーなどの重機のアームとリンク（図は省略）を連結するピン孔７ａ、７ｂを設けたステイ部材７にローテータ８を介して回転可能に結合され、全体でふるい装置１を構成している。
【０１２】
このふるい装置はステイ部材７に連結した重機のアームとリンクの操作でアームピン孔７ａを支点として上下に回動させることによりかご状容器５に土砂や瓦礫を掬い入れるとともに、ローテータ８でかご状容器５を回転させることにより揺動させ、網目６で土砂や瓦礫をふるい分けるようになっている。
【０１３】
本発明のふるい装置１はかご状容器５の開放口４の上下両縁辺に前方へ突出させた掬い部材９ａ、９ｂを設けてある。
ここで開放口４の上下両縁辺とは、、ステイ部材７の長手方向に対応して向き合う両縁辺を意味し、この両縁辺に各々掬い部材９ａ又は９ｂを形成したことにより、ステイ部材７によりふるい装置１を重機側に回動させたときは上側縁辺の掬い部材９ａで瓦礫を掬い入れ、重機前方へ回動させたときは上側縁辺の掬い部材９ｂで掬い入れることができるようにしてある。
【０１４】
前記掬い部材９ａ、９ｂは、かご状容器開放口４の上下両縁辺から前方内側へ向けて所定角度で突出させ、これにより、かご状容器５を回転させて篩う際に、開放口４から内容物をこぼれにくくするのが望ましい。
【０１５】
図の実施例のローテータ８は、図４、図５に示すように、円筒内周面に複数の凹状円弧面１０を波形に連続させた凹凸摺接面を形成した外筒部材１１と、先端に球体１２を支持させた油圧ピストン部材１３を円盤ブロック１４の半径方向に放射状に配設した内側部材１５を有し、外筒部材１１の円弧面１０群と内側部材１５の油圧ピストン部材１３群が対向するようにして外筒部材１１と内側部材１５を内外嵌装するとともに、外筒部材１１の中心に内側部材１５の前記油圧ピストン部材１３群に作動油圧を供給するディストリビュータ１６が一体に突設されており、このディストリビュータ１６が内側部材１５の中心孔と回転可能に嵌装されている。
【０１６】
内側部材１５の各々の油圧ピストン部材１３は、円盤ブロック１４の外側に開口し、油路１７を介して中心部の油圧ディストリビュータ１６に通じるピストンチャンバ１８内に油圧受け部材１９を摺動自在に嵌装し、この油圧受け部材１９の先端に前記球体１２を転動可能に支持している。
また、油圧ピストン部材１３はばね２２により外側へ付勢され、先端の球体１２が外筒部材１１の凹状円弧面１０に摺接して出没するようになっている。
【０１７】
ディストリビュータ１６は、図５〜図７に示すように、外周面軸方向に、前記各々の凹状円弧面１０の一方の傾斜面１０ａに対応させた油圧分配路２０ａと他方の傾斜面１０ｂに対応させた油圧回収路２０ｂを交互に配置した複数対の油路を各々の凹状円弧面１０に対応させて形成してある。
油圧分配路２０ａ群と油圧回収路２０ｂ群は各々共通の油圧回路２１ａ、２１ｂを介して外部の油圧源に接続されるようになっている。
【０１８】
かくして、ローテータ８は、ピストン部材１３の球体１２が外筒部材１１の一方の円弧傾斜面１０ａに向き合ったときにディストリビュータ１６の油圧分配路１０ａに連通して球体１２を円弧傾斜面１０ａに押し付けることにより、外筒部材１１と内側部材１５を相対的に回転させ、他方、球体１２が該一方の傾斜面１０ａを通り過ぎたところで油圧回収路１０ｂに連通して押圧力が解除され、フリーになるように構成されている。
【０１９】
凹状円弧面１０群に対する球体１２群の向きは位相が少しづつずれており、これにより、常に、いずれかの球体１２がいずれかの円弧面１０の円弧傾斜面１０ａを押圧して押圧力が次々と連続的に付与され、回転を連続させることができるようになっている。
図の実施例では、等間隔の１０個の円弧面１０に対して等間隔の８個のピストン部材１３を対向させることにより上記位相のずれが生ずるようにしてある。
【０２０】
ローテータ８は上記の構成になるので、かご状容器５を連続回転することも、油圧回路を切り換えて正逆回転することもできる。特に、四角形のかご状容器５を１８０°あるいはそれ以上の角度に回転させることにより、四角形の内側側壁で内容物を上方へせり上揚げ、下方の網目に落下させることができるので落下衝撃により網目の目詰まりを防止できる。
【０２１】
油圧回路２１ａ、２１ｂに作動油の圧力調節機構を設け、ローテータ９のトルクを調整できるようにしてもよい。
【０２２】
【効果】
本発明のふるい装置はかご状容器開放縁の上下両側に掬い部材を設けたことにより、重機側に回動する場合も、重機前方へ回動させる場合も、掬い部材を使用して掬いとることができる。また、この場合には、ふるい装置のかご状容器を回転させる必要がないので、作業能率が向上する。
【０２３】
かご状容器の開口縁辺に設けた上下両側の掬い部材を容器内側へ傾斜させることにより、内容物がこぼれにくくなる。
【０２４】
本発明のふるい装置は連続回転が可能なローテータを使用したことにより、かご状容器の回転ふるい角度を自由に選定することができ、また、連続回転もできる。特に、かご状容器を四角形などの多角形に形成した場合は容器内で内容物が落下するように回転することができるので網目の目詰まりを防止できる。
【図面の簡単な説明】
【図１】本発明によるふるい装置の縦断面図
【図２】図１の上面図
【図３】図１の下面図
【図４】ローテータの横断面図
【図５】図４のＡ−Ａ線断面図
【図６】図４のＢ−Ｂ線断面図
【図７】ローテータの中心部拡大断面図
【符号の説明】
１…ふるい装置
２…底壁
３…側壁
４…開放口
５…かご状容器
６…網目
７…ステイ部材
７ａ、７ｂ…ピン孔
８…ローテータ
９ａ、９ｂ…掬い部材
１０…凹状円弧面
１０ａ、１０ｂ…傾斜面
１１…外筒部材
１２…球体
１３…油圧ピストン部材先端チャンバ
１４…円盤ブロック
１５…内側部材
１６…ディストリビュータ
１７…油路
１８…ピストンチャンバ
１９…油圧受け部材
２０ａ…油圧分配路
２０ｂ…油圧回収路
２１ａ、２１ｂ…油圧回路
【整理番号】ＰＡＳ００２―０１０
【図１】
2004008972.tif 000003
【図２】
2004008972.tif 000004
【図３】
2004008972.tif 000005
【図４】
2004008972.tif 000006
【図５】
2004008972.tif 000007
【図６】
2004008972.tif 000008
【図７】
2004008972.tif 000009